(57)【特許請求の範囲】
【請求項１】
主支持部材（２１８）であって、
第１の端部（２２４）と第２の端部（２２６）とを有するベース部材（２２２）と、
近位端部（２３２）と遠位端部（２３４）とを有する第１の部材（２２８）であって、前記近位端部（２３２）が、前記ベース部材（２２２）の前記第１の端部（２２４）と接続され、前記第１の部材（２２８）が、光源（２０６）を支持するように適合される、前記第１の部材（２２８）と、
近位端部（２３６）と遠位端部（２３８）とを有する第２の部材（２３０）であって、前記近位端部（２３６）が、前記ベース部材（２２２）の前記第２の端部（２２６）と接続され、前記第２の部材（２３０）の前記遠位端部（２２８）が、カメラ（２０４）を支持するように適合される、前記第２の部材（２３０）と、を含む、前記主支持部材（２１８）と、
第１の端部（２９０）と第２の端部（２８６）とを有する位置合わせ部材（２４０）であって、前記第１の端部（２９０）が、前記第１の部材（２２８）の前記遠位端部（２３４）と解放可能に接続可能であり、前記第２の端部（２８６）が、前記ベース部材（２２２）と解放可能に接続可能である、前記位置合わせ部材（２４０）と、を含み、
前記位置合わせ部材（２４０）は、前記第１の部材（２２８）と平行な少なくとも１つのスロット（２９６）を含み、
前記少なくとも１つのスロット（２９６）が、２つの内側スロット（３１０）及び２つの外側スロット（３０８）を画定する３つのブリッジ（３０６）によって分離された４つのスロットを含む、撮像装置を支持するための装置（２０２）。
【請求項２】
前記第２の部材（２３０）の前記遠位端部（２３８）が、前記カメラ（２０４）の一部分を受容するように適合された開口（２６６）を含む、請求項１に記載の装置。
【請求項３】
前記位置合わせ部材（２４０）が、減少した厚さ領域を画定するチャネル（３０２）を含む、請求項１又は２に記載の装置。
【請求項４】
前記少なくとも１つのスロット（２９６）が、前記チャネル（２４０）の中に位置付けられる、請求項３に記載の装置。
【請求項５】
前記２つの内側スロット（３１０）が、前記２つの外側スロット（３０８）よりも長い、請求項１〜４のいずれか一項に記載の装置。
【請求項６】
前記第２の支持部材（２３０）の前記遠位端部（２３８）が、前記カメラを支持するように適合された支持プレート（２５４）を含み、前記支持プレート（２５４）が、前記位置合わせ部材（２４０）に対して少なくとも２つの方向に選択的に動くことが可能である、請求項１〜５のいずれか一項に記載の装置。
【請求項７】
前記ベース部材（２２２）、第１の部材（２２８）及び第２の部材（２３０）が、単一の材料片として一体形成される、請求項１〜６のいずれか一項に記載の装置。
【発明の詳細な説明】
【技術分野】
【０００１】
本開示は、使い捨て吸収性物品を製造するための方法及び装置に関し、より詳細には、使い捨て吸収性物品を製造するために使用する基材をモニタするための撮像装置を支持しかつ位置合わせするための方法及び装置に関する。
【背景技術】
【０００２】
前進する連続的な材料のウェブに構成要素を加えること及び他の方法によってこれを修正することによって、おむつ及び様々な種類の他の吸収性物品がアセンブリラインに沿って組み立てられ得る。例えば、いくつかのプロセスでは、前進する材料のウェブは、他の前進する材料のウェブと組み合わされる。他の例では、前進する材料のウェブから作製される個々の構成要素は、前進する材料のウェブと組み合わされ、ひいては、これらが次に他の前進する材料のウェブと組み合わされる。おむつを製造するために使用される材料のウェブ及び構成要素部分としては、バックシート、トップシート、吸収性コア、前側耳部及び／又は後側耳部、締結構成要素、並びに様々な種類の弾性ウェブ及び構成要素、例えば脚部弾性部材、バリアレッグカフ弾性部材、及び腰部弾性部材が挙げられる。いったん望ましい構成要素部分が組み立てられると、前進するウェブ及び構成要素部分は、最終ナイフカットに供されて、ウェブを個別のおむつ又は他の吸収性物品に分離する。個別のおむつ又は吸収性物品はまた、その後折り畳まれて包装される。
【発明の概要】
【発明が解決しようとする課題】
【０００３】
前進する材料のウェブをモニタするために、各種センサ及び／又は撮像装置を使用することができる。ある種の撮像装置の設置は、比較的時間がかかりかつ厄介であり得る。例えば、ある撮像装置はカメラと光源とを含み、したがって、設置は、カメラと光源との間の位置合わせを必要とする。しかしながら、カメラはある支持体上に取り付けられてもよく、光源は別の支持体に取り付けられてもよい。各支持体は、カメラ及び光源に様々な程度の動きを提供することができ、したがって、カメラと光源の適正な位置合わせは、精密で時間がかかる作業であり得る。
【課題を解決するための手段】
【０００４】
本開示の態様は、使い捨て吸収性物品、並びに他の種類の物品及び製品を製造するために使用される基材及び構成要素を観察及び／又はモニタするための撮像装置を伴う。より詳細には、本明細書で論じられる装置及び方法は、カメラ及び光源を含んでもよい各種視覚システムを取り付ける、支持する、及び位置合わせすることに関する。
【０００５】
一形態において、撮像装置を支持するための装置は、主支持部材であって、第１の端部と第２の端部とを有するベース部材と、近位端部と遠位端部とを有する第１の部材であって、近位端部が、ベース部材の第１の端部と接続され、第１の部材が、光源を支持するように適合される、第１の部材と、近位端部と遠位端部とを有する第２の部材であって、近位端部が、ベース部材の第２の端部と接続され、第２の部材の遠位端部が、カメラを支持するように適合される、第２の部材と、を含む、主支持部材と、第１の端部と第２の端部とを有する位置合わせ部材であって、第１の端部が、第１の部材の遠位端部と解放可能に接続可能であり、第２の端部が、ベース部材と解放可能に接続可能である、位置合わせ部材と、を含み、位置合わせ部材が、第１の部材と平行な少なくとも１つのスロットを有する、を含む主支持部材を含む。
【０００６】
別の形態において、物体を観察するように適合された撮像装置を支持するための装置は、第１の端部と、第２の端部と、第１の端部と第２の端部との間の中間部分とを有するベース部材と、近位端部と遠位端部とを有する第１の部材であって、近位端部はベース部材と接続される、第１の部材と、近位端部と遠位端部とを有する第２の部材であって、近位端部は、ベース部材の第２の端部と接続される、第２の部材と、第１の部材に接続される光源と、第２の部材に接続されるカメラと、を有する主支持部材を含む。
【０００７】
更に別の形態において、ウェブ加工ライン上の撮像装置を支持及び位置合わせするための方法は、主支持部材を、機械方向に前進するように構成された基材に隣接する取付具に位置付ける工程であって、主支持部材は、第１の端部と第２の端部とを有するベース部材と、近位端部と遠位端部とを有する第１の部材であって、近位端部はベース部材の第１の端部と接続される、第１の部材と、近位端部と遠位端部とを有する第２の部材であって、近位端部はベース部材の第２の端部と接続される、第２の部材と、を含む、工程と、第１の部材の遠位端部で光源を支持し、かつ第２の部材の遠位端部でカメラを支持する工程であって、カメラは、第１の部材と第２の部材との間を機械方向に前進する基材を観察するために位置付けられ、光源は、基材に隣接して横断方向に延びるように位置付けられる、工程と、位置合わせ部材を、第１の部材の遠位端部及びベース部材に接続する工程であって、位置合わせ部材は少なくとも１つのスロットを含む、工程と、光源からの光を、少なくとも１つのスロットを通してカメラに向けて方向付ける工程と、を含む。
【図面の簡単な説明】
【０００８】
【図１Ａ】コンバータライン上に設置された支持装置の等角図。
【図１Ｂ】線１Ｂ−１Ｂに沿って切断されてＭＤ方向に見ている図１Ａの支持装置の断面側面図を示す。
【図１Ｃ】線１Ｃ−１Ｃに沿って切断されてＣＤ方向に見ている図１Ｂの支持装置の断面側面図を示す。
【図２Ａ】カメラ及び光源が取り外された状態の支持装置の等角図。
【図２Ｂ】図２Ａに示される支持装置の分解図。
【図３Ａ】図２Ａに示される第２の支持部材の遠位端部の詳細図。
【図３Ｂ】図３Ａに示される遠位端部の分解図。
【図４Ａ】支持装置及び位置合わせ部材の側面図。
【図４Ｂ】位置合わせ部材の等角図。
【図４Ｃ】位置合わせ部材の等角図。
【図４Ｄ】位置合わせ部材の底部側面図。
【図５】支持装置の第２の実施形態の等角図。
【図６】本開示に従って支持及び位置合わせされた視覚システムによってモニタ及び／又は観察される１つ以上の基材及び／又は構成要素を含んでもよい使い捨て吸収性物品の平面図。
【発明を実施するための形態】
【０００９】
本開示を理解する上で、以下の用語が有用であり得る。
【００１０】
「吸収性物品」は、本明細書において、主な機能が、汚れ及び排泄物を吸収及び保持することである消費者製品を指すために用いられる。本明細書で使用するとき、「おむつ」とは、一般的に、幼児、及び失禁症状のある人によって、胴体下部周囲に着用される吸収性物品を指す。本明細書で使用するとき、用語「使い捨て」は、洗濯又は他の方法で、吸収性物品として修復若しくは再使用することを一般に意図しない吸収性物品を説明するために使用される（例えば、１回の使用後に廃棄することが意図され、またリサイクルするか、堆肥化するか、又はそうでなければ環境に適応した方法で処分するように構成されてもよい）。
【００１１】
本明細書で使用するとき、「配置される」という用語は、ある要素が、特定の場所若しくは位置に他の要素と共にマクロ単一構造体として、又は別の要素に接合された別個の要素として形成されている（接合されて位置付けられる）ことを意味するために用いる。
【００１２】
本明細書で使用するとき、「接合されている」という用語には、接合要素を他の要素に直接結合させることによって、ある要素を別の要素に直接固定させる構成と、ある要素を中間部材に結合させてから、その中間部材を他の要素に結合させることによって、ある要素を別の要素に間接的に固定させる構成が含まれる。
【００１３】
本明細書で使用するとき、「基材」という用語は、主として二次元であり（即ち、ＸＹ面にある）、その厚さ（Ｚ方向）が、その長さ（Ｘ方向）及び幅（Ｙ方向）と比べて相対的に小さい（即ち、１／１０以下）材料を説明するために用いられる。基材の非限定的な例としては、単独で用いてもよいし、１つ以上のウェブ、層、フィルム及び／又は箔に積層してもよい層又は繊維性材料、フィルム及び箔、例えばプラスチックフィルム又は金属製の箔が挙げられる。そのため、ウェブは基材である。
【００１４】
用語「不織布」は、本明細書において、スパンボンド、メルトブローンなどのプロセスによって、連続的な（長い）フィラメント（繊維）及び／又は非連続的な（短い）フィラメント（繊維）から作製された材料を指す。不織布は、織った又は編んだフィラメントパターンを有さない。
【００１５】
用語「機械方向」（ＭＤ）は、本明細書において、プロセスを貫流する材料の方向を指すために使用される。用語「横断方向」（ＣＤ）は、本明細書において、機械方向に対してほぼ垂直な方向を指すために使用される。
【００１６】
本開示の態様は、吸収性物品を製造するための装置及び方法を伴い、より詳細には、使い捨て吸収性物品を製造するために使用される基材及び構成要素を観察及び／又はモニタするための撮像装置を支持及び位置合わせするための装置及び方法に関する。本開示は、吸収性物品の製造との関係において提供されているが、本明細書に開示される装置及び方法は、様々な異なる種類の基材及び／又は構成要素のモニタを伴う、他の種類の物品及び製品の製造にも適用され得ることを理解されたい。他の物品及び製品の例としては、包装要素及び基材並びに／又は、例えば、瓶などの容器が挙げられる。更に、本開示は、多くの場合、基材及び／又はウェブをモニタする又は観察することに言及しているが、本明細書で論じられる視覚システムは、ウェブと個別構成要素との組み合わせをモニタ及び／又は観察するために使用され得ることを理解されたい。本明細書に開示される方法及び装置の特定の実施形態は、各種撮像システムの支持及び位置合わせを提供する。吸収性物品加工ラインに関連する視覚システムは、種順の目的のために使用することができる。例えば、視覚システムは、組み立てられる基材及び製品の欠陥をモニタ及び検出するために使用されてもよい。他の例では、視覚システムは、組み立てられる物品の様々な構成要素の相対的配置を検出するために使用されてもよい。したがって、視覚システムからの各種フィードバック信号、例えば、画像、結果信号、及び／又は演算変数を、表示するため及び／又は、位相制御、登録制御、及び／又は拒否制御などの操作で使用するために、加工ライン上の制御装置に記憶及び／又は送信することができる。いくつかの視覚システムは、最適操作のために位置合わせを必要とするカメラ及び光源を含む。本明細書で論じられる装置及び方法は、各種視覚システムの取り付け、支持、及び位置合わせに関する。
【００１７】
本開示による方法及び装置は、様々な撮像システムと協働するように適合され得ることを理解されたい。例えば、いくつかの実施形態は、産業ラインスキャン視覚システムと協働するように構成され得る。図１Ａ〜図１Ｃは、支持装置２０２に取り付けられた撮像システム２００の実施形態を示している。図のように、撮像システム２００は、カメラ２０４と光源２０６とを含んでもよい。図１Ａ〜図１Ｃにおいて支持装置２０２は、製造プロセスで使用されるものとして示されており、カメラ２０４が前進する基材２０８をモニタ及び／又は観察することができるように、機械方向（ＭＤ）に前進する基材２０８に隣接して配置されている。図１Ｃを参照すると、基材２０８は、第１のコンベヤー２１０及び第２のコンベヤー２１２に沿って前進するものとして示されており、支持装置２０２は、コンベヤー２１０の端部とコンベヤー２１２の端部との間の機械方向（ＭＤ）の間隙２１４に位置付けられる。したがって、カメラ２０４は、前進する基材２０８の上部側又は表面２１４を観察するように位置付けられ、光源２０６は、前進する基材の底部側又は面２１６上に光を方向付けるように位置付けられる。支持装置２０２は、前進する基材に隣接する壁又は他の何らかの取付具にボルト固定ないしは別の方法で固定されることができる。以下により詳細に論じられるように、支持装置２０２は、清潔を維持する及び／又は光源を冷却するのを助けるために、光源２０６に沿って空気流を提供するように構成されることも可能である。更に、支持装置２０２は、カメラと光源の比較的容易な位置合わせを目的として、光源２０６に対して限られた数の方向にユーザーがカメラを動かすことができるように構成され得る。
【００１８】
図２Ａ及び図２Ｂは、カメラと光源がシステムから取り外された状態の支持装置２０２の実施形態を示している。支持装置２０２は、接続された固定板２２０を有するＣ字型支持構造体の形態の主支持部材２１８を含み、固定板２２０は、支持装置２０２が壁又はその他の種類の固定障害物に接続されるのを可能にする。主支持部材２１８は、それぞれ第１の支持部材２２８及び第２の支持部材２３０に接続される第１の端部２２４と第２の部分２２６とを有する直立ベース部材２２２を含む。より詳細には、第１の支持部材２２８は、近位端部２３２と遠位端部２３４とを含み、近位端部２３２は、ベース部材２２２の第１の端部２２４に接続される。更に、第２の支持部材２３０は近位端部２３６と遠位端部２３８とを含み、遠位端部２３８は、ベース部材２２２の第２の端部２２６に接続される。以下により詳細に論じられるように、第１の支持部材２２８は、光源２０６を支持するように適合され、第２の支持部材２３０は、カメラ２０４を支持するように適合される。主支持部材２１８はまた、図４Ａ〜図４Ｄを参照してより詳細に後述するように、位置合わせ部材２４０と解放可能に接続されるように適合される。
【００１９】
主支持部材２１８は、ベース部材２２２、第１の支持部材２２８、及び第２の支持部材２３０が単一材料片として一体形成されるように構成されてもよいことを理解されたい。他の実施形態では、ベース部材、第１の支持部材、及び第２の支持体は、独立した部品として形成されることができ、これらは、互いに対する移動を防止するために、例えば、締結具、接着剤、又は溶接を用いるなどして、様々なやり方で相互に接続される。更に、主支持部材２１８はまた、金属、プラスチック、及び炭素複合材などの様々な種類の材料で作製されることができる。例えば、主支持部材の一実施形態は、アルミニウムから作製される単一一体部品として構成される。更に、主支持部材２１８は、第１の側２４２と第２の側２４４との間の機械方向（ＭＤ）の厚さを画定する。主支持部材２１８の厚さは、特定用途に応じて変化してもよいことを理解されたい。例えば、一実施形態では、主支持部材のＭＤ方向の厚さは約２．５４ｃｍ（１インチ）である。
【００２０】
先に述べたとおり、第１の支持部材２２８は、光源２０６を支持するように適合される。各種光源を支持装置と共に使用することができる。したがって、第１の支持部材２２８は、使用する光源２０６の種類に応じて、異なる様式に構成され得ることを理解されたい。例えば、一実施形態は、例えば、Ａｄｖａｎｃｅｄ  Ｉｌｌｕｍｉｎａｔｉｏｎ  ＬＬ０６８又はＭｅｔａｐｈａｓｅ  １７”線状光などのＬＥＤ線状光を支持するように構成されてもよい。支持装置２０２はまた、光ファイバ照明器と協働するように構成されることができ、主支持部材２１８からハロゲン又は他の光源の中までファイバーバンドルが延びていてもよい。いくつかの実施形態では、第１の支持部材２２８は、支持される特定光源が必要とする冷却ファンからの空気流に適応するように構成され得る。図２Ａ及び図２Ｂに示されるように、第１の支持部材２２８は、第１の支持部材の上面２４８に配置された複数のボルト孔２４６を含んでもよい。ボルト孔２４６は、光源上の対応する穴のパターンと一致するように間隔があけられてもよい。図１Ａ及び図１Ｂは、第１の支持部材２２８に支持された光源２０６の異なる図を示している。具体的には、図１Ａ及び図２Ｂに示される光源２０６は、長さに沿って配列された複数のＬＥＤを有する線状光源である。使用中、光源は、前進する基材２０８の底部側２１６に光を方向付ける。図２Ａ及び図２Ｂに戻って参照すると、第１の支持部材２２８の遠位端部２３４はまた、直立延長部２５０と、直立延長部２５０から上方に延びるピン２５２とを含む。以下により詳細に論じられるように、直立延長部２５０は、位置合わせ部材２４０の一部分を支持するように適合され、ピン２５２は、位置合わせ部材がＭＤ方向に動くのを防止するのを助ける。
【００２１】
先に述べたとおり、第２の支持部材２３０は、カメラ２０４を支持するように適合される。図２Ａ及び図２Ｂに示されるように、支持プレート２５４及びベースプレート２５６は、第２の支持部材２３０の遠位端部２３８に接続される。以下により詳細に論じられるように、カメラ２０４は、支持プレート２５４によって支持される。図３Ａ及び図３Ｂを参照すると、ベースプレート２５６は、２つのボルト２５８で第２の支持部材２３０の遠位端部２３８に接続されている。また、支持プレート２５４は、２つのボルト２６０でベースプレート２５６に接続されている。支持プレート２５４をベースプレート２５６に固定する２つのボルト２６０は、ベースプレート２５６の２つの対応する貫通孔２６２を通って延びる。ベースプレートの孔２６２の直径は、ボルト２６０の外径より大きくてもよい。したがって、支持プレート２５４は、ベースプレート２５６に対して動くことができる。より詳細には、支持プレートの位置は、図３Ａに示されるように、（１）ＭＤ方向（方向を示す矢印Ａ参照）に沿って前後に、（２）上下に（方向を示す矢印Ｂ参照）、及び（３）時計回り及び反時計回り方向（方向を示す矢印Ｃ参照）に部分的に回転して、調整され得る。以下に記載されるように、支持プレート２５４は、カメラと光源の位置合わせ中に動くことができる。
【００２２】
本明細書では、支持プレート２５４と主支持部材２１８との間の取り付け及び接続構成の一実施形態が記載されかつ図示されているが、他の接続及び取り付け構成を用いることも可能であることを理解されたい。例えば、ボルト２６０を使用する代わりに、支持プレート２５４は、ベースプレート２５６の孔２６２の中に受容されるように適合された、そこから延びるねじ込みピンを有してもよい。別の構成では、ベースプレート２５６は、支持プレート２５４の対応する孔の中に受容されるように構成される、そこから延びるねじ込みピンを有してもよい。更に他の構成は、支持プレート２５４と主支持部材２１８との間の接続及び制限された相対運動を可能にするための、ストレートスロット若しくはダブテールスロット及び／又は位置決めねじ構成を利用することができる。更に他の構成は、ほぞ穴（mortis）及びほぞ差しを利用してもよい。いくつかの構成では、支持プレート２５４を、ベースプレート２５６を用いずに、第２の支持部材２３０に直接接続することが可能であることも理解すべきである。他の構成では、支持プレート２５４及びベースプレート２５６は、単一部品として一体に形成されてもよい。
【００２３】
各種カメラを支持装置２０２と共に使用することができる。したがって、支持されるカメラの種類に応じて、第２の支持部材２３０及び／又は支持プレート２５４並びにベースプレート２５６を、異なる様式に構成することができることを理解されたい。例えば、一実施形態は、例えば、Ｂａｓｌｅｒ  Ｒｕｎｎｅｒ、Ｄａｌｓａ  Ｓｐｙｄｅｒ  Ｓｅｒｉｅｓ、及びＤＶＴ  ５４０ＬＳスマートカメラなどのラインスキャンカメラを支持するように構成される。図３Ｂに示されるように、支持プレート２５４は、支持プレート２５４の上面２６８に配置される複数のボルト孔２６４を含んでいる。ボルト孔２６４は、カメラの孔の対応するパターンと一致するように間隔があけられてもよい。支持プレート２５４はまた、カメラ２０４の一部分を受け入れるように適合されたレンズ開口２６６を含んでもよい。図１Ａ及び図１Ｂは、支持プレート２５４に取り付けられるカメラ２０４の異なる図を示している。使用中、カメラ２０４は、前進する基材２０８の上部側２１４を観察するように位置付けられる。いくつかの実施形態では、支持プレート２５４及びレンズ開口２６６は、カメラレンズを清潔に維持するのを助けるための空気流を方向付けるためのチャネルを有して構成されることも可能である。いくつかの構成では、レンズ開口２６６及び／又は支持プレート２５４は、カメラレンズの保護カバーと接続するように適合される。他の実施形態では、支持プレート２５４は、支持プレート２５４の底面２７０からカメラを吊設するように構成され得る。このような構成では、支持プレートの底面２７０は、カメラから延びる対応するボルト又はピンを受容及び係合するように適合された孔を有してもよい。したがって、支持プレートはレンズ開口を有さなくてもよい。いくつかの構成では、支持プレートは、カメラに入る光を変更するための光学フィルタと接続するように構成され得る。例えば、いくつかの光学フィルタは、特定の帯域幅の光、例えば、ＩＲ又はＵＶなどを排除するように構成されることができ、又は、所望範囲以外の全ての光の通過を阻止するためのバンドパスフィルタを含んでもよい。
【００２４】
先に述べたとおり、第１の支持部材２２８及び第２の支持部材２３０の近位端部２３２、２３６は、それぞれ、ベース支持部材２２２の第１及び第２の端部２２４、２２６に接続されて、主支持部材２１８を画定する。ベース支持部材２２２は、支持装置２０２の特定用途に応じて、様々な構造特性を含んでもよい。例えば、図２Ａ及び図２Ｂに示されるように、壁又はその他の種類の固定障害物と接続するように構成され得る固定板２２０は、ベース支持部材２２２に接続される。いくつかの実施形態では、固定板２２０は、ベース支持部材２２２と一体に形成され得ることを理解されたい。以下により詳細に論じられるように、及び図２Ｂに示されるように、ベース支持部材２２２はまた、位置合わせ部材２４０と解放可能に接続するように適合された孔２７２を含む。更に図１Ａ及び図１Ｂに示されるように、支持装置２０２は、ベース支持部材に接続される電気接続箱２７４を含んでもよい。接続箱２７４は、光源２０６及びカメラ２０４との外部電気接続及び通信へのアクセスを提供することができ、加えて、電源スイッチなどの種々の制御機能へのアクセスを提供する。ベース支持部材２２２はまた、位置合わせマーク２７６を含んでもよく、このマークは、基材２０８に対する支持装置２０２の位置を目視検査する能力をユーザーに提供する。例えば、いくつかの実施形態では、位置合わせマーク２７６により、ユーザーは、垂直位置合わせマーク２７６が基材２０８の縁部２７８と同じ鉛直高さに位置決めされているかを確認することによって、支持装置２０２が基材に対して所望の位置に設置されているかを目視チェックすることが可能になる。
【００２５】
支持装置２０２はまた、外部空気供給と接続して、埃及びその他の屑が光源の上に集まらないようにする及び／又は光源を冷却するのを助けるために、空気を所望の位置に方向付けるように構成され得る。図２Ａ及び図２Ｂに示されるように、支持装置２０２は、ベース支持部材２２２に第１の空気吸込口２８０を含んでもよい。第１の空気吸込口２８０に入る空気は、ベース支持部材２２２の内部の通路を通って方向付けられ、ベース支持部材の複数の空気排出孔２８２から排出される。支持装置２０２はまた、第１の支持部材２２８の遠位端部２３４に第２の空気吸込口２８４を含んでもよい。第２の空気吸込口２８４に入る空気は、第１の支持部材２２８及び直立延長部２５０の内部の通路を通って方向付けられ、直立延長部の複数の空気排出孔２８２から排出される。したがって、ベース支持部材２２２及び直立延長部２５０の空気排出孔２８２から排出された空気は、光源２０６に沿ってＣＤ方向に方向付けられ、これにより、光源を清潔に維持する及び／又は冷却するのを助けることができる。
【００２６】
先に述べたとおり、支持装置２０２はまた、カメラ２０４と光源２０６の位置合わせを助けるための位置合わせ部材２４０を含んでもよい。位置合わせ部材２４０は、主支持部材２１８と解放可能に接続するように構成されてもよい。図４Ａ〜図４Ｄは、主支持部材２１８と接続するように適合された位置合わせ部材２４０の実施形態を示している。主支持部材２１８に接続されると、位置合わせ部材２４０は、ベース支持部材２２２から第１の支持部材２２８の遠位端部２３４まで延在する。より詳細には、位置合わせ部材２４０の第１の端部２８６は、ベース支持部材２２２の対応する孔２７２の中に受容されるように構成されたピン２８８を含み、位置合わせ部材２４０の第２の端部２９０は、第１の支持部材２２８の遠位端部２３４の直立部材２５０から延びる対応するピン２５２を受容するように構成された開放スロット２９２を含む。位置合わせ部材２４０及び主支持部材２１８は、例えば、ナット及びボルトのように、位置合わせ部材が主支持部材と解放可能に接続するのが可能となるその他の様式に構成されることができることを理解されたい。図４Ａに示されるように、位置合わせ部材２４０が主支持部材２１８と接続されると、位置合わせ部材２４０の底面２９４は、底面２９４がカメラに対してモニタされる基材２０８と同じ位置にあるように、カメラ２０４に対して上下に位置付けられる。位置合わせ部材２４０の底面２９４の上下位置は、特定用途に応じて変化し得る。例えば、一実施形態では、位置合わせ部材の底面は、光源の上面の上方５０ｍｍに位置付けられる。
【００２７】
図４Ｂ〜図４Ｄを参照すると、位置合わせ部材２４０は、位置合わせ部材の長さに沿って延びる１つ以上のスロット２９６を含んでおり、位置合わせ部材２４０が主支持部材２１８に接続されると、スロット２９６はＣＤ方向に沿って延在する。以下により詳細に論じられるように、スロット２９６は、光源からの光を通過させて、カメラと光源の位置合わせをする際の誘導を提供する。位置合わせ部材２４０はまた、上部側２９８と底部側３００との間垂直厚さを画定する。特定の構成に応じて、位置合わせ部材２４０は、主支持部材２１８上に設置されるときに、位置合わせ部材が曲がる可能性を低減する垂直厚さを画定するように構成されてもよい。
【００２８】
いくつかの実施形態では、位置合わせ部材２４０の垂直厚さは、カメラレンズの焦点合わせ操作を簡単にするのを助けるために、スロット２９６が位置決めされる領域で薄くなってもよい。より詳細には、カメラ２０４と光源２０６の位置合わせの間、カメラレンズは、像の光学的エッジ（例えば、スロット２９６）が最適化されるまで調整されてもよい。したがって、スロット２９６が比較的薄い材料に位置決めされかつ広がる場合（例えば、位置合わせ部材の減少した垂直厚さ）、スロット２９６を通過する光が提示する光学的エッジは、より明確又はシャープであり得るので、スロットの縁部は、比較的シャープな光学的エッジをカメラに提示する。スロット２９６が比較的厚い材料の領域に広がる場合、スロットを通過する光は、スロットの垂直側面にも反射して、スロットの光学的エッジの歪みを生じさせる可能性がある。このように、図４Ｂ〜図４Ｄに示されるように、スロット２９６は、位置合わせ部材２４０の第１の端部２８６と第２の端部２９０との間に延びるチャネル３０２の中に位置決めされてもよい。より詳細には、チャネル３０２は、位置合わせ部材２４０の中を上部側２９８から底部側３００に向かって延びて、上面３０４と底面２９４との間に減少した厚さを有する位置合わせ部材の長さを画定する。他の実施形態では、チャネル３０２は、位置合わせ部材２４０の底部側３００から上部側３０２に向かって延びてもよいことを理解されたい。これに加えて、チャネル２４０の両側面は、位置合わせ部材２４０の上面３０４及び／又は底面２９４に対して垂直であってもよく、又は傾斜していてもよい。
【００２９】
いくつかの実施形態では、位置合わせ部材２４０は、２つ以上のスロット２９６（more than slot 296）を含んでもよい。例えば、図４Ｂ及び図４Ｄに示されるように、位置合わせ部材２４０は、３つのブリッジ３０６によって分離される４つのスロット２９６を含んでもよい。具体的には、位置合わせ部材２４０は、２つの外側スロット３０８と、２つの内側スロット３１０とを含む。２つの外側ブリッジ３１２は、外側スロット３０８と内側スロット３１０を分離し、中央ブリッジ３１４は、２つの内側スロット３１０を分離している。位置合わせ部材２４０が主支持部材２１８に接続されると、スロット２９６は、光源２０６の上面と相対的な位置合わせ部材２４０の底面２９４の上下位置に、光源２０６からの光の理論上の焦点幅と一致し得るＭＤ方向の幅Ｗを画定する。したがって、スロット２９６を通過する光が、スロット幅にわたって比較的一定であるＭＤ方向の照明を提供して、スロット幅のＭＤ方向外側で光が遮断されるように、スロット２９６のＭＤ方向の幅を構成することができる。例えば、一実施形態では、各スロットのＭＤ幅Ｗは２ｍｍである。スロット２９６及びブリッジ３０６は、特定用途に応じて様々なＣＤ方向の長さを有することができる。例えば、一実施形態は、２０ｍｍのＣＤ長さを有する外側スロット３０８と、１６０ｍｍのＣＤ長さを有する内側スロット３１０とを含んでもよい。更に、ブリッジ３０６のＣＤ長さは、２０ｍｍのＣＤ長さを有してもよい。
【００３０】
位置合わせ部材２４０のスロット２９６はまた、光源２０６に対するカメラ２０４の焦点合わせ及び位置合わせを援助するように位置付けられてもよい。以下に記載されるように、全てのスロット２９６を使用して、ＭＤ方向のカメラ２０４とＭＤ方向のカメラのピッチとを位置合わせしてもよく、中央ブリッジ３１４を使用して、ＣＤ方向のカメラ２０４の位置合わせを確認してもよく、外側スロット３０８を使用して、カメラ２０４の全視野を確認しても良く、全てのブリッジ３０６を使用して、カメラのレンズ歪みを測定しかつ補正してもよい。例えば、いくつかの実施形態では、２つの外側ブリッジ３１２は、中央ブリッジ３１４と同じＣＤ長さを有しても良く、これにより、光軸の中心からの距離に比例してレンズの見かけ倍率が減少するカメラレンズの光学的ひずみを意味する、レンズ「魚眼」効果又はレンズ樽形歪曲を補正するための、ＣＤ方向のカメラキャリブレーションが可能になる。更に、２つの外側スロット３０８は、予想されるＣＤ方向のカメラ視野と一致するように又はこれを超えるように位置付けられてもよい。したがって、外側スロット３０８のＣＤ方向の長さを用いて、カメラ視野が正確であることをユーザーが判定するのを助けることができる。いくつかの実施形態では、操作中にカメラ２０４によって観察される基材２０８の予想されるＣＤ中心線と中央ブリッジの中心点が位置合わせされるように、中央ブリッジ３１４を位置付けてもよい。したがって、中央ブリッジ３１４がカメラの像の中心に見えていることをチェックすることによって、カメラ２０４のＣＤ位置をより簡単に確認することができる。
【００３１】
いくつかの用途では、カメラ２０４と光源２０６を位置合わせするときに、光源からの光の強度を低減する必要があり得る。光の強度の低減は、様々なやり方で達成され得る。１つの例として、例えば、紙、レキサン（lexan）、又は他の比較的薄い半透明材料などの材料を、チャネル３０２の中のスロット２９６の上に置くことによって、光の強度を低減させることができる。別の例として、位置合わせを行っている間、基材２０８を定位置に留置することができる。他の例として、光源２０６への電力を低減することが可能であり得る。更に他の実施形態では、例えば、利得、露光時間、及び／又は光学フィルタの挿入などによって、カメラの感度を調整することが可能であり得る。
【００３２】
カメラ２０４と光源２０６を位置合わせする場合、第１の端部２８６のピン２８８を、ベース部材２２２の対応する孔２７２に挿入することによって、位置合わせ部材２４０を設置してもよい。次に、位置合わせ部材２４０の第２の端部２９０が、第１の支持部材２２８の遠位端部２３４上の直立部材２５０の上に支持されるように、位置合わせ部材２４０を旋回してもよい。より詳細には、直立部材２５０上のピン２５２を、位置合わせ部材２４０の第２の端部２９０の対応する開放スロット２９２に挿入してもよい。したがって、光源２０６からの光は、スロット２９６を通り抜けて、カメラ２０４に向かって上方に通過する。カメラの位置は、必要に応じて第２の支持部材２３０上の支持プレート２５４を動かすことによって調整することができる。具体的には、カメラ２０４と光源２０６を位置合わせするために、カメラ２０４を動かすことができる（例えば、ＭＤ方向への並進又は回転）。位置合わせ部材２４０の４つのスロット２９６全ての中に、光源からの光が均等に見られるように、カメラ２０４を動かしてもよい。光源２０６を第１の部材２２８に正確に位置合わせすることに加えて、支持プレート２５４とベースプレート２５６との間の接合面を比較的精密に加工することは、ＣＤ方向におけるカメラ２０４と光源２０６との間の回転位置ずれを防止するのを助ける。支持プレート２５４とベースプレート２５６との間のボルト２６０を堅く締めてカメラ２０４を定位置に固定した後、ブリッジ３０６に隣接するスロット２９６の観察される縁部を最適化することによって、カメラ２０４の焦点を合わせてもよい。最後に、各ブリッジ３０６及び／又はスロット２９６のＣＤ寸法と、同じブリッジ３０６及び／又はスロット２９６の既知の測定寸法とを比較することによって、キャリブレーションを計算する。カメラの視野の縁部のキャリブレーション係数を、視野の中心のキャリブレーション係数と比較することによって、レンズ魚眼効果を計算する。
【００３３】
上述のように、支持装置２０２の実施形態は、所望の物体又は基材２０８をバックライトで照らすように構成されてもよく、この場合、基材２０８は半透明であり、光は基材の底面２１６上に方向付けられて、基材を通ってカメラ２０４に向かって移動することができる。したがって、基材２０８の様々な透光性は、像のコントラストを作り出すことができる。支持装置２０２のいくつかの実施形態は、観察されるのと同じ基材２０８の表面又は物体の表面（例えば、上面２１４）に光を適用するように構成されることも可能であることを理解されたい。このような構成は、基材の片側の画像アートワーク又は他のデザインを観察する、不透明な基材（スチール、厚紙など）を観察する、及び／又はウェブでない物体を撮像するために用いられてもよい。例えば、このような構成は、アートワーク及びバーコードがその上に正確に印刷されているかを確認するために包装材料をモニタする視覚システムと共に用いられてもよい。
【００３４】
図５は、カメラ２０４が観察する表面と同じである基材２０８の表面（即ち、上面２１４）に光を提供するように構成された支持装置２０２の実施形態を示している。図のように、くさび形アダプタ３１６がベース支持部材２２２と接続されている。また、第１の支持部材２２８はアダプタ３１６に接続され、光源２０６は第１の支持部材２２８に接続されている。したがって、光源２０６は、光を基材２０８の上面２１４上に下向きに方向付けるように位置付けられ、光源２０６からの光は、基材２０６からカメラ２０４に向かって反射又は屈折する。位置合わせの間、位置合わせ部材２４０は、基材の上面２１４に沿って位置付けられることができ、カメラ２０４位置の位置は、上述のように調整されることができる。いくつかの実施形態では、位置合わせ部材が光を吸収するのを助けるために、位置合わせ部材２４０の上部側２９８はつや消し黒に着色されてもよく、その一方で、位置合わせ部材の下に位置付けられる白い基材は、光をカメラ２０４に反射又は屈折し戻す。他の実施形態では、位置合わせ部材２４０の上部側２９８は反射型であってもよく、これは、スロット２９６に暗領域を形成するのを助ける。
【００３５】
先に述べた通り、本明細書の装置及び方法を用いて、種々の異なる製品の製造中に、各種基材及び構成要素をモニタするのに使用される視覚システムを支持及び位置合わせしてもよい。具体的例示を目的として、図６は、おむつ１５２の形態の使い捨て吸収性物品１５０の一実施例を示しており、おむつ１５２は、本明細書に開示の装置及び方法に従って支持及び位置合わせされる視覚システムによって製造中にモニタされる基材及び構成要素で構成される。特に、図６は、シャーシ１５４を含むおむつ１５２の一実施形態の平面図であって、シャーシ１５４は平坦な、折り畳まれていない状態で示され、着用者に面するおむつ１５２の部分が観察者の方を向いている図である。シャーシ構造の一部は、おむつの実施形態に含まれ得る様々な機構の構成をより明瞭に示すために、図６において切り取られている。
【００３６】
図６に示すように、おむつ１５２は、第１の耳部１５６と、第２の耳部１５８と、第３の耳部１６０と、第４の耳部１６２とを有するシャーシ１５４を含む。本考察に関する基準枠を提供するために、長手方向軸線１６４及び横方向軸線１６６を有するシャーシが示されている。シャーシ１５４は、第１の腰部区域１６８、第２の腰部区域１７０、及び第１の腰部区域と第２の腰部区域との中間に位置する股部区域１７２を有するものとして示されている。おむつの周囲は、一対の長手方向に延伸する側縁部１７４、１７６、第１の腰部区域１６８に隣接して横方向に延伸する第１の外側縁部１７８、及び第２の腰部区域１７０に隣接して横方向に延伸する第２の外側縁部１８０によって画定される。図６に示されるように、シャーシ１５４は、内側の身体に面する表面１８２と外側の衣類に面する表面１８４とを含む。シャーシ構造の一部は、おむつに含まれ得る様々な機構の構成をより明瞭に示すために、図６において切り取られている。図６に示すように、おむつ１５２のシャーシ１５４は、トップシート１８８とバックシート１９０とを含む外側カバー層１８６を含んでもよい。吸収性コア１９２は、トップシート１８８とバックシート１９０の一部分の間に位置してもよい。以下に更に詳細に説明するように、いずれか１つ以上の区域が伸縮性であってもよく、本明細書に記載されるようなエラストマー材又はラミネートを含んでもよい。このように、おむつ１５２は、適用時に特定の着用者の解剖学的構造に適合するように、かつ着用中に着用者の解剖学的構造との協調を維持するように構成されていてもよい。
【００３７】
先に述べたとおり、おむつ１５２のシャーシ１５４は、例えば図６に示すバックシート１９０を含んでもよい。いくつかの実施形態では、バックシートは、シャーシ内に吸収されて封じ込められた排出物が、おむつに接触し得る物品、例えばベッドシーツ及び下着を汚すのを防ぐように構成される。バックシートのいくつかの実施形態は流体透過性であってもよく、一方で、他の実施形態は、液体（例えば尿）に対して不透過性であってもよく、薄いプラスチックフィルムを含む。いくつかの実施形態では、プラスチックフィルムは、厚さ約０．０１２ｍｍ（０．５ミル）〜約０．０５１ｍｍ（２．０ミル）を有する熱可塑性フィルムを含む。いくつかのバックシートフィルムは、Ｔｒｅｄｅｇａｒ  Ｉｎｄｕｓｔｒｉｅｓ  Ｉｎｃ．（Ｔｅｒｒｅ  Ｈａｕｔｅ，Ｉｎｄ．）によって製造され、商標名Ｘ１５３０６、Ｘ１０９６２、及びＸ１０９６４として販売されているものを含んでもよい。他のバックシート材料は、おむつから蒸気を逃がす一方で、排出物がバックシートを通り抜けるのを防ぐ通気性材料を含んでもよい。代表的な通気性材料は、織布ウェブ、不織布ウェブ、フィルムコーティングされた不織布ウェブ及び微小孔性フィルムのような複合材料のような材料を含んでもよい。好適な通気性複合材料は、Ｅ．Ｉ．ＤｕＰｏｎｔの名義で１９９５年６月２２に発行された国際公開第９５／１６７４６、及び１９９９年２月２日にＣｕｒｒｏに付与された米国特許第５，８６５，８２３号に記載されており、当該特許は共に参照により本明細書に組み込まれる。不織ウェブ及び有孔の成形フィルムを含む他の通気性バックシートが米国特許第５，５７１，０９６号（１９９６年１１月５日にＤｏｂｒｉｎらに付与）及び同第６，５７３，４２３号（２００３年６月３日にＨｅｒｒｌｅｉｎらに付与）に記載され、当該特許は全て参照により本明細書に組み込まれる。
【００３８】
バックシート１９０又はそのいずれかの部分は、１つ以上の方向に伸縮性であってもよい。一実施形態では、バックシートは、構造的弾性様フィルム（「ＳＥＬＦ」）ウェブを含んでもよい。ＳＥＬＦウェブの実施形態は、米国特許第５，５１８，８０１号、発明の名称「Ｗｅｂ  Ｍａｔｅｒｉａｌｓ  Ｅｘｈｉｂｉｔｉｎｇ  Ｅｌａｓｔｉｃ−Ｌｉｋｅ  Ｂｅｈａｖｉｏｒ」（１９９６年５月２１日にＣｈａｐｐｅｌｌらに付与）；米国特許第５，７２３，０８７号、発明の名称「Ｗｅｂ  Ｍａｔｅｒｉａｌｓ  Ｅｘｈｉｂｉｔｉｎｇ  Ｅｌａｓｔｉｃ−Ｌｉｋｅ  Ｂｅｈａｖｉｏｒ」（１９９８年３月３日にＣｈａｐｐｅｌｌらに付与）；米国特許第５，６９１，０３５号、発明の名称「Ｗｅｂ  Ｍａｔｅｒｉａｌｓ  Ｅｘｈｉｂｉｔｉｎｇ  Ｅｌａｓｔｉｃ−Ｌｉｋｅ  Ｂｅｈａｖｉｏｒ」（１９９７年１１月２５日にＣｈａｐｐｅｌｌらに付与）；米国特許第５，８９１，５４４号、発明の名称「Ｗｅｂ  Ｍａｔｅｒｉａｌｓ  Ｅｘｈｉｂｉｔｉｎｇ  Ｅｌａｓｔｉｃ−Ｌｉｋｅ  Ｂｅｈａｖｉｏｒ」（１９９９年４月６日にＣｈａｐｐｅｌｌらに付与）；米国特許第５，９１６，６６３号、発明の名称「Ｗｅｂ  Ｍａｔｅｒｉａｌｓ  Ｅｘｈｉｂｉｔｉｎｇ  Ｅｌａｓｔｉｃ−Ｌｉｋｅ  Ｂｅｈａｖｉｏｒ」（１９９９年６月２９日にＣｈａｐｐｅｌｌらに付与）；及び米国特許第６，０２７，４８３号、発明の名称「Ｗｅｂ  Ｍａｔｅｒｉａｌｓ  Ｅｘｈｉｂｉｔｉｎｇ  Ｅｌａｓｔｉｃ−Ｌｉｋｅ  Ｂｅｈａｖｉｏｒ」（２０００年２月２２日にＣｈａｐｐｅｌｌらに付与）により完全に記載され、当該特許は全て参照により本明細書に組み込まれる。いくつかの実施形態では、バックシートは、エラストマーフィルム、フォーム、ストランド、不織布、又はこれら若しくは他の好適な材料と不織布若しくは合成フィルムとの組み合わせを含んでもよい。追加の実施形態としては、伸張可能な不織布材料、延伸性不織布と組み合わせたエラストマーフィルム、延伸性フィルムと組み合わせたエラストマー不織布、及び／又はそれらの組み合わせを含むバックシートが挙げられる。このようなバックシートの実施形態の詳細は、米国特許出願第１１／５９９，８２９号、同第１１／５９９，８５１号、及び同第１１／５９９，８６２号により完全に記載され、当該特許は全て参照により本明細書に組み込まれる。
【００３９】
バックシート１９０は、様々な方法でトップシート１８８、吸収性コア１９２及び／又はおむつ１５２の他の要素に接合されてもよい。例えばバックシートは、接着剤の均一な連続層、接着剤の模様付き層又は接着剤の別個の線、螺旋若しくは点の配列によって接続されてもよい。一実施形態は、米国特許第４，５７３，９８６号、発明の名称「Ｄｉｓｐｏｓａｂｌｅ  Ｗａｓｔｅ−Ｃｏｎｔａｉｎｍｅｎｔ  Ｇａｒｍｅｎｔ」（１９８６年３月４日にＭｉｎｅｔｏｌａらに付与）に開示されているような、接着剤のフィラメントの開放パターン網を利用しており、当該特許は参照により本明細書に組み込まれる。他の実施形態は、米国特許第３，９１１，１７３号（１９７５年１０月７日にＳｐｒａｇｕｅ，Ｊｒ．に付与）、同第４，７８５，９９６号（１９８８年１１月２２日にＺｉｅｃｋｅｒらに付与）、及び同第４，８４２，６６６号（１９８９年６月２７日にＷｅｒｅｎｉｃｚに付与）に示される装置及び方法により例示されるような、螺旋模様に渦を巻く接着剤フィラメントの複数の線を利用しており、当該特許は全て参照により本明細書に組み込まれる。接着剤は、Ｓｔ．Ｐａｕｌ，ＭｉｎｎのＨ．Ｂ．Ｆｕｌｌｅｒ  Ｃｏｍｐａｎｙによって製造され、ＨＬ−１６２０及びＨＬ−１３５８−ＸＺＰとして市販されるものを含み得る。いくつかの実施形態では、バックシートは、熱接着、圧力接着、超音波結合、動的機械的結合、若しくはその他いずれかの好適な取付け手段、又はそれらの組み合わせにより連結される。
【００４０】
トップシート１８８は、順応性があり、柔軟な感触であり、及び着用者の皮膚に対して非刺激性であるように構成されてもよい。更には、トップシート１４０の全て又は少なくとも一部分は、液体透過性であって、液体がそれを通って容易に浸透できてもよい。このように、トップシートは、多孔質発泡体、網状発泡体、有孔の不織布若しくは可塑性フィルム、又は天然繊維（例えば、木若しくは綿繊維）、合成繊維（例えば、ポリエステル若しくはポリプロピレン繊維）、若しくは天然繊維と合成繊維との組み合わせの織布若しくは不織布ウェブなど、広範囲にわたる材料から製造されてもよい。吸収性組立品が繊維を含むならば、繊維は、スパンボンドされているもの、カーディングされているもの、湿式載置されているもの、メルトブローされているもの、水流交絡されているもの、ないしは当該技術分野において既知の別の方法で加工されているものであってもよい。ステープル長さのポリプロピレン繊維のウェブを含むトップシートの一例は、Ｉｎｔｅｒｎａｔｉｏｎａｌ  Ｐａｐｅｒ  Ｃｏｍｐａｎｙの一部門であるＶｅｒａｔｅｃ，Ｉｎｃ．（Ｗａｌｐｏｌｅ，Ｍａｓｓ）によってＰ−８の呼称で製造されている。形成されたフィルムトップシートの例は、米国特許第３，９２９，１３５号、発明の名称「Ａｂｓｏｒｐｔｉｖｅ  Ｓｔｒｕｃｔｕｒｅｓ  Ｈａｖｉｎｇ  Ｔａｐｅｒｅｄ  Ｃａｐｉｌｌａｒｉｅｓ」（１９７５年１２月３０日にＴｈｏｍｐｓｏｎに付与）、同第４，３２４，２４６号、発明の名称「Ｄｉｓｐｏｓａｂｌｅ  Ａｂｓｏｒｂｅｎｔ  Ａｒｔｉｃｌｅ  Ｈａｖｉｎｇ  Ａ  Ｓｔａｉｎ  Ｒｅｓｉｓｔａｎｔ  Ｔｏｐｓｈｅｅｔ」（１９８２年４月１３日にＭｕｌｌａｎｅらに付与）、同第４，３４２，３１４号、発明の名称「Ｒｅｓｉｌｉｅｎｔ  Ｐｌａｓｔｉｃ  Ｗｅｂ  Ｅｘｈｉｂｉｔｉｎｇ  Ｆｉｂｅｒ−Ｌｉｋｅ  Ｐｒｏｐｅｒｔｉｅｓ」（１９８２年８月３日にＲａｄｅｌらに付与）、同第４，４６３，０４５号、発明の名称「Ｍａｃｒｏｓｃｏｐｉｃａｌｌｙ  Ｅｘｐａｎｄｅｄ  Ｔｈｒｅｅ−Ｄｉｍｅｎｓｉｏｎａｌ  Ｐｌａｓｔｉｃ  Ｗｅｂ  Ｅｘｈｉｂｉｔｉｎｇ  Ｎｏｎ−Ｇｌｏｓｓｙ  Ｖｉｓｉｂｌｅ  Ｓｕｒｆａｃｅ  ａｎｄ  Ｃｌｏｔｈ−Ｌｉｋｅ  Ｔａｃｔｉｌｅ  Ｉｍｐｒｅｓｓｉｏｎ」（１９８４年７月３１日にＡｈｒらに付与）、及び同第５，００６，３９４号、発明の名称「Ｍｕｌｔｉｌａｙｅｒ  Ｐｏｌｙｍｅｒｉｃ  Ｆｉｌｍ」（１９９１年４月９日にＢａｉｒｄに付与）に記載され、当該特許は全て参照により本明細書に組み込まれる。その他のトップシートは、米国特許第４，６０９，５１８号（１９８６年９月２日にＣｕｒｒｏらに付与）及び同第４，６２９，６４３号（１９８６１２月１６日にＣｕｒｒｏら付与）に従って製造されてもよく、当該特許は共に参照により本明細書に組み込まれる。このような成形フィルムは、Ｔｈｅ  Ｐｒｏｃｔｅｒ  ＆  Ｇａｍｂｌｅ  Ｃｏｍｐａｎｙ（Ｃｉｎｃｉｎｎａｔｉ，Ｏｈｉｏ）から「ＤＲＩ−ＷＥＡＶＥ」として、またＴｒｅｄｅｇａｒ  Ｃｏｒｐｏｒａｔｉｏｎ（Ｔｅｒｒｅ  Ｈａｕｔｅ，Ｉｎｄ．）から「ＣＬＩＦＦ−Ｔ」として入手できる。
【００４１】
いくつかの実施形態では、トップシート１８８は、吸収性コア内に収容された液体から着用者の皮膚を隔離するために、疎水性材料で作製されるか、あるいは疎水性であるように処理される。トップシートが疎水性材料で作製されるならば、液体がトップシートを通り抜けてより迅速に移動するように、トップシートの少なくとも上部側は、親水性であるように処理されてもよい。これにより、身体排出物が、トップシートを通過して引き込まれて吸収性コアに吸収されるよりも、トップシートから流出する可能性が低減する。トップシートは、これを界面活性剤で処理するか、あるいは界面活性剤をトップシートに組み入れることによって親水性を付与することが可能である。トップシートを界面活性剤で処置するための好適な方法としては、トップシート素材に界面活性剤を噴霧すること、及びこの素材を界面活性剤中に浸漬することが挙げられる。このような処理、及び親水性のより詳細な説明は、米国特許第４，９８８，３４４号、発明の名称「Ａｂｓｏｒｂｅｎｔ  Ａｒｔｉｃｌｅｓ  ｗｉｔｈ  Ｍｕｌｔｉｐｌｅ  Ｌａｙｅｒ  Ａｂｓｏｒｂｅｎｔ  Ｌａｙｅｒｓ」（１９９１年１月２９日にＲｅｉｓｉｎｇらに付与）、及び同第４，９８８，３４５号、発明の名称「Ａｂｓｏｒｂｅｎｔ  Ａｒｔｉｃｌｅｓ  ｗｉｔｈ  Ｒａｐｉｄ  Ａｃｑｕｉｒｉｎｇ  Ａｂｓｏｒｂｅｎｔ  Ｃｏｒｅｓ」（１９９１年１月２９日にＲｅｉｓｉｎｇら付与）に含まれ、当該特許は全て参照により本明細書に組み込まれる。トップシートに界面活性を組み入れるいくつかの方法のより詳細な説明は、米国法定発明登録番号Ｈ１６７０（Ａｚｉｚらの名義で１９９７月１日に発行）に見出すことができ、当該文献の全ては参照により本明細書に組み込まれる。
【００４２】
いくつかの実施形態では、トップシート１８８は、疎水性である有孔のウェブ又はフィルムを含んでもよい。これは、親水性化処理工程を製造プロセスから無くすことにより、及び／又は、以下に記述されるような疎水性処理剤、例えば、ＳＣＯＴＣＨＧＵＡＲＤのようなポリテトラフルオロエチレン化合物若しくは疎水性ローション組成物をトップシートに塗布することにより達成されてもよい。このような実施形態では、開口は、顕著な抵抗なく、尿のような水性流体の浸透を可能にするのに十分な大きさであってもよい。様々な有孔のトップシートのより詳細な説明は、米国特許第５，３４２，３３８号、発明の名称「Ｄｉｓｐｏｓａｂｌｅ  Ａｂｓｏｒｂｅｎｔ  Ａｒｔｉｃｌｅ  ｆｏｒ  Ｌｏｗ−Ｖｉｓｃｏｓｉｔｙ  Ｆｅｃａｌ  Ｍａｔｅｒｉａｌ」（１９９４年８月３０日にＲｏｅに付与）、同第５，９４１，８６４号、発明の名称「Ｄｉｓｐｏｓａｂｌｅ  Ａｂｓｏｒｂｅｎｔ  Ａｒｔｉｃｌｅ  ｈａｖｉｎｇ  Ｉｍｐｒｏｖｅｄ  Ｆｅｃａｌ  Ｓｔｏｒａｇｅ」（１９９９年８月２４日にＲｏｅに付与）、同第６，０１０，４９１号、発明の名称「Ｖｉｓｃｏｕｓ  Ｆｌｕｉｄ  Ｂｏｄｉｌｙ  Ｗａｓｔｅ  Ｍａｎａｇｅｍｅｎｔ  Ａｒｔｉｃｌｅ」（２０００年１月４日にＲｏｅらに付与）、及び同第６，４１４，２１５号、発明の名称「Ｄｉｓｐｏｓａｂｌｅ  Ａｂｓｏｒｂｅｎｔ  Ａｒｔｉｃｌｅ  ｈａｖｉｎｇ  Ｃａｐａｃｉｔｙ  ｔｏ  Ｓｔｏｒｅ  Ｌｏｗ−Ｖｉｓｃｏｓｉｔｙ  Ｆｅｃａｌ  Ｍａｔｅｒｉａｌ」（２００２年７月２日にＲｏｅに付与）に見出すことができ、当該特許の全ては参照により本明細書に組み込まれる。吸収性物品の実施形態はまた、排泄物を受け入れて封じ込めるポケット、排泄物用の空洞を提供するスペーサ、物品内での排泄物の移動を制限するバリア、おむつ内に堆積した排泄物を受けて封じ込める隔室若しくは空洞など、あるいはそれらのいずれかの組み合わせを含んでもよい。
【００４３】
吸収性コア１９２は、一般に圧縮性であって、柔軟性があり、着用者の皮膚に対して非刺激性であり、尿などの液体及び他の身体排泄物を吸収して保持できる吸収性材料を含んでもよい。吸収性コア１９２はまた、多種多様の大きさ及び形状（例えば、矩形、砂時計形、Ｔ字形、非対称形等）に製造することができる。吸収性コアはまた、使い捨ておむつ及び他の吸収性物品に一般に使用される、広範な種類の液体吸収性材料を含むことができる。一例において、吸収性コアは、エアフェルトと一般に呼ばれる粉砕木材パルプを含む。その他の吸収性材料の例としては、捲縮セルロース塊、コフォームを含むメルトブローンポリマー、化学的に剛化、変性、若しくは架橋されたセルロース繊維、ティッシュラップ及びティッシュ積層体を含むティッシュ、吸収性発泡体、吸収性スポンジ、超吸収性ポリマー、吸収性ゲル材料、又は他のいずれかの既知の吸収性材料、若しくは材料の組み合わせが挙げられる。
【００４４】
代表的な吸収性構造体は、米国特許第４，６１０，６７８号、発明の名称「Ｈｉｇｈ−Ｄｅｎｓｉｔｙ  Ａｂｓｏｒｂｅｎｔ  Ｓｔｒｕｃｔｕｒｅｓ」（１９８６年９月９日にＷｅｉｓｍａｎらに付与）；同第４，６７３，４０２号、発明の名称「Ａｂｓｏｒｂｅｎｔ  Ａｒｔｉｃｌｅｓ  Ｗｉｔｈ  Ｄｕａｌ−Ｌａｙｅｒｅｄ  Ｃｏｒｅｓ」（１９８７年６月１６日にＷｅｉｓｍａｎらに付与）；同第４，８３４，７３５号、発明の名称「Ｈｉｇｈ  Ｄｅｎｓｉｔｙ  Ａｂｓｏｒｂｅｎｔ  Ｍｅｍｂｅｒｓ  Ｈａｖｉｎｇ  Ｌｏｗｅｒ  Ｄｅｎｓｉｔｙ  ａｎｄ  Ｌｏｗｅｒ  Ｂａｓｉｓ  Ｗｅｉｇｈｔ  Ａｃｑｕｉｓｉｔｉｏｎ  Ｚｏｎｅｓ」（１９８９年５月３０日にＡｌｅｍａｎｙらに付与）；同第４，８８８，２３１号、発明の名称「Ａｂｓｏｒｂｅｎｔ  Ｃｏｒｅ  Ｈａｖｉｎｇ  Ａ  Ｄｕｓｔｉｎｇ  Ｌａｙｅｒ」（１９８９年１２月１９日にＡｎｇｓｔａｄｔに付与）；同第５，１３７，５３７号、発明の名称「Ａｂｓｏｒｂｅｎｔ  Ｓｔｒｕｃｔｕｒｅ  Ｃｏｎｔａｉｎｉｎｇ  Ｉｎｄｉｖｉｄｕａｌｉｚｅｄ，Ｐｏｌｙｃａｒｂｏｘｙｌｉｃ  Ａｃｉｄ  Ｃｒｏｓｓｌｉｎｋｅｄ  Ｗｏｏｄ  Ｐｕｌｐ  Ｃｅｌｌｕｌｏｓｅ  Ｆｉｂｅｒｓ」（１９９２年８月１１日にＨｅｒｒｏｎらに付与）；同第５，１４７，３４５号、発明の名称「Ｈｉｇｈ  Ｅｆｆｉｃｉｅｎｃｙ  Ａｂｓｏｒｂｅｎｔ  Ａｒｔｉｃｌｅｓ  Ｆｏｒ  Ｉｎｃｏｎｔｉｎｅｎｃｅ  Ｍａｎａｇｅｍｅｎｔ」（１９９２年９月１５日にＹｏｕｎｇらに付与）；同第５，３４２，３３８号、発明の名称「Ｄｉｓｐｏｓａｂｌｅ  Ａｂｓｏｒｂｅｎｔ  Ａｒｔｉｃｌｅ  Ｆｏｒ  Ｌｏｗ−Ｖｉｓｃｏｓｉｔｙ  Ｆｅｃａｌ  Ｍａｔｅｒｉａｌ」（１９９４年８月３０日にＲｏｅに付与）；同第５，２６０，３４５号、発明の名称「Ａｂｓｏｒｂｅｎｔ  Ｆｏａｍ  Ｍａｔｅｒｉａｌｓ  Ｆｏｒ  Ａｑｕｅｏｕｓ  Ｂｏｄｙ  Ｆｌｕｉｄｓ  ａｎｄ  Ａｂｓｏｒｂｅｎｔ  Ａｒｔｉｃｌｅｓ  Ｃｏｎｔａｉｎｉｎｇ  Ｓｕｃｈ  Ｍａｔｅｒｉａｌｓ」（１９９３年１１月９日にＤｅｓＭａｒａｉｓらに付与）；同第５，３８７，２０７号、発明の名称「Ｔｈｉｎ−Ｕｎｔｉｌ−Ｗｅｔ  Ａｂｓｏｒｂｅｎｔ  Ｆｏａｍ  Ｍａｔｅｒｉａｌｓ  Ｆｏｒ  Ａｑｕｅｏｕｓ  Ｂｏｄｙ  Ｆｌｕｉｄｓ  Ａｎｄ  Ｐｒｏｃｅｓｓ  Ｆｏｒ  Ｍａｋｉｎｇ  Ｓａｍｅ」（１９９５年２月７日にＤｙｅｒらに付与）；及び同第５，６５０，２２２号、発明の名称「Ａｂｓｏｒｂｅｎｔ  Ｆｏａｍ  Ｍａｔｅｒｉａｌｓ  Ｆｏｒ  Ａｑｕｅｏｕｓ  Ｆｌｕｉｄｓ  Ｍａｄｅ  Ｆｒｏｍ  ｈｉｇｈ  Ｉｎｔｅｒｎａｌ  Ｐｈａｓｅ  Ｅｍｕｌｓｉｏｎｓ  Ｈａｖｉｎｇ  Ｖｅｒｙ  Ｈｉｇｈ  Ｗａｔｅｒ−Ｔｏ−Ｏｉｌ  Ｒａｔｉｏｓ」（１９９７年７月２２日にＤｅｓＭａｒａｉｓらに付与）に記載されており、当該特許の全ては参照により本明細書に組み込まれる。
【００４５】
吸収性コア１９２はまた、多層化された構造を有してもよい。様々な種類の多層化された吸収性コアのより詳細な説明は、米国特許第５，６６９，８９４号、発明の名称「Ａｂｓｏｒｂｅｎｔ  Ｍｅｍｂｅｒｓ  ｆｏｒ  Ｂｏｄｙ  Ｆｌｕｉｄｓ  ｈａｖｉｎｇ  Ｇｏｏｄ  Ｗｅｔ  Ｉｎｔｅｇｒｉｔｙ  ａｎｄ  Ｒｅｌａｔｉｖｅｌｙ  Ｈｉｇｈ  Ｃｏｎｃｅｎｔｒａｔｉｏｎｓ  ｏｆ  Ｈｙｄｒｏｇｅｌ−ｆｏｒｍｉｎｇ  Ａｂｓｏｒｂｅｎｔ  Ｐｏｌｙｍｅｒ」（１９９７年９月２３日にＧｏｌｄｍａｎらに付与）；同第６，４４１，２６６号、発明の名称「Ａｂｓｏｒｂｅｎｔ  Ｍｅｍｂｅｒｓ  ｆｏｒ  Ｂｏｄｙ  Ｆｌｕｉｄｓ  ｕｓｉｎｇ  Ｈｙｄｒｏｇｅｌ−ｆｏｒｍｉｎｇ  Ａｂｓｏｒｂｅｎｔ  Ｐｏｌｙｍｅｒ」（２００２年８月２６日にＤｙｅｒらに付与）；同第５，５６２，６４６号、発明の名称「Ａｂｓｏｒｂｅｎｔ  Ｍｅｍｂｅｒｓ  ｆｏｒ  Ｂｏｄｙ  Ｆｌｕｉｄｓ  ｈａｖｉｎｇ  Ｇｏｏｄ  Ｗｅｔ  Ｉｎｔｅｇｒｉｔｙ  ａｎｄ  Ｒｅｌａｔｉｖｅｌｙ  Ｈｉｇｈ  Ｃｏｎｃｅｎｔｒａｔｉｏｎｓ  ｏｆ  Ｈｙｄｒｏｇｅｌ−ｆｏｒｍｉｎｇ  Ａｂｓｏｒｂｅｎｔ  Ｐｏｌｙｍｅｒ  ｈａｖｉｎｇ  Ｈｉｇｈ  Ｐｏｒｏｓｉｔｙ」（１９９６年１０月１０日にＧｏｌｄｍａｎらに付与）；欧州特許第０５６５６０６Ｂ１号（１９９５年３月８日発行）；米国特許出願公開第２００４／０１６２５３６Ａ１号（２００４年８月１９日発行）；同第２００４／０１６７４８６Ａ１号（２００４年８月２６日発行）；及び国際公開第２００６／０１５１４１（２００６年２月９日発行）に見出すことができ、当該文献は全て参照により本明細書に組み込まれる。いくつかの実施形態では、吸収性物品は、伸張可能である吸収性コアを含む。このような構成において、吸収性コアは、シャーシの他の材料と共に長手方向及び／又は横方向に延びるよう適合されてもよい。吸収性コアはまた、様々な方法でシャーシの他の構成要素と連結され得る。例えば、おむつは、「浮いたコア」構成又は「バケット」構成を含んでもよく、このおむつは、物品を着用者上で移動させる傾向のある力を収集するように構成され得る固定システムを含む。
【００４６】
吸収性物品はまた、腰部バンド１９４の形態の図６に示される弾性的ウエスト構造部１０２を含み、改善されたフィット及び排出物封じ込めを提供してもよい。弾性的ウエスト構造部１０２は、弾性的に拡張及び収縮して着用者の腰に動的にフィットするように構成されていてもよい。弾性的ウエスト構造部１０２が、本明細書において説明される方法に従っておむつに組み込まれてもよく、吸収性コア１９２から外側に少なくとも長手方向で延び、一般的に、おむつ１５２の第１の外側縁部１７８、及び／又は第２の外側縁部１８０の少なくとも一部分を形成する。更に、弾性的ウエスト構造部は横方向に延伸して耳部を含んでもよい。弾性的ウエスト構造部１０２又はそのいずれかの構成要素は、おむつに取り付けられた１つ以上の別個の要素を含んでもよいものの、弾性的ウエスト構造部は、おむつの他の要素、例えば、バックシート１９０、トップシート１８８、又はバックシートとトップシートの両方の延長部として構成されてもよい。加えて、弾性的ウエスト構造部１０２は、シャーシ１４０の、外側の衣類に面する表面１８４、内側の身体に面する表面１８２、又は内側面と外側面との間に位置してもよい。弾性的ウエスト構造部１０２は、米国特許出願第１１／３０３，６８６号（２００５年１２月１６日に出願）、同第１１／３０３，３０６号（２００５年１２月１６日に出願）、及び同第１１／５９９，８６２号（２００６年１１月１５日に出願）に記載されるものを含む、多くの異なる構成で構成されてもよく、当該文献の全ては参照により本明細書に組み込まれる。
【００４７】
図６に示される第１の耳部１５６及び第２の耳部１５８と共に第３の耳部１６０及び第４の耳部１６２は、シャーシ１４０と一体形成されているとして例示しているが、他の実施形態では、シャーシに接続される別個の要素である耳部が含まれていてもよいことを理解されたい。いくつかの実施形態では、耳部は伸縮性であるように構成され、またいくつかの実施形態では、弾性的に伸縮性の耳部を有するのが好ましいことがある。後でより詳細に述べるように、耳部は、互いに及び／又はシャーシ上の他の締着具要素と取り外し可能に接続するように適合された１つ以上の締着具要素を含んでもよい。伸縮性耳部のより詳細な説明は、米国特許第４，８５７，０６７号、発明の名称「Ｄｉｓｐｏｓａｂｌｅ  Ｄｉａｐｅｒ  Ｈａｖｉｎｇ  Ｓｈｉｒｒｅｄ  Ｅａｒｓ」（１９８９年８月１５日にＷｏｏｄらに付与）、同第５，１５１，０９２号（１９９２年９月２９日にＢｕｅｌｌらに付与）、同第５，６７４，２１６号（１９９７年１０月７日にＢｕｅｌｌらに付与）、同第６，６７７，２５８号（２００４年１月１３日にＣａｒｒｏｌｌらに付与）、同第４，３８１，７８１号（１９８３年５月３日にＳｃｉａｒａｆｆａらに付与）、同第５，５８０，４１１号、発明の名称「Ｚｅｒｏ  Ｓｃｒａｐ  Ｍｅｔｈｏｄ  Ｆｏｒ  Ｍａｎｕｆａｃｔｕｒｉｎｇ  Ｓｉｄｅ  Ｐａｎｅｌｓ  Ｆｏｒ  Ａｂｓｏｒｂｅｎｔ  Ａｒｔｉｃｌｅｓ」（１９９６年１２月３日にＮｅａｓｅらに付与）、及び同第６，００４，３０６号、発明の名称「Ａｂｓｏｒｂｅｎｔ  Ａｒｔｉｃｌｅ  Ｗｉｔｈ  Ｍｕｌｔｉ−Ｄｉｒｅｃｔｉｏｎａｌ  Ｅｘｔｅｎｓｉｂｌｅ  Ｓｉｄｅ  Ｐａｎｅｌｓ」（１９９９年１２月２１日にＲｏｂｌｅｓらに付与）に見出すことができ、当該特許の全ては参照により本明細書に組み込まれる。耳部はまた、米国特許出願公開第２００５／０２１５９７２Ａ１号（２００５年９月２９日発行）、及び同第２００５／０２１５９７３Ａ１号（２００５年９月２９日発行）に記載されたものなど、伸張ゾーン又は要素の様々な幾何学的配置及び配列を含んでもよく、当該特許は全て参照により本明細書に組み込まれる。
【００４８】
図６に示すように、おむつ１５２は、液体及び他の身体排出物の封入性を改善し得るレッグカフ１９６を含んでもよい。具体的には、弾性ガスケッティングレッグカフは、着用者の大腿の周りの封止効果を提供して漏れを防止し得る。おむつを着用したときにレッグカフが着用者の大腿部と接触するように配置されてもよく、その接触の程度及び接触圧力は、着用者の身体上でのおむつの向きによって部分的に決まり得ることを認識すべきである。レッグカフ１９６は、様々な方法でおむつ１０２上に位置してもよい。例えば、レッグカフ１９６は、シャーシ１５２の外側の衣類に面する表面１８４、内側の身体に面する表面１８２、又は内側面と外側面との間に位置してもよい。またレッグカフ１９６は、レッグバンド、サイドフラップ、バリアカフ、又は弾性カフと呼んでもよい。参照により本明細書に組み込まれる米国特許第３，８６０，００３号には、弾性脚部カフ（ガスケッティングカフ）を提供するために、サイドフラップ及び１つ以上の弾性部材を有する収縮可能な脚部開口部を提供する使い捨ておむつが記載されている。米国特許第４，８０８，１７８号及び同第４，９０９，８０３号（それぞれ１９８９年２月２８日及び１９９０年３月２０日にＡｚｉｚらに付与）は共に参照として本明細書に組み込まれ、脚部区域の収容性を改善する「起立」伸縮性フラップ（バリアカフ）を有する使い捨ておむつを記載する。参考により本明細書に組み込まれる米国特許第４，６９５，２７８号及び同第４，７９５，４５４号（それぞれ、１９８７年９月２２日にＬａｗｓｏｎに付与、及び１９８９年１月３日発行にＤｒａｇｏｏに付与）は共に、ガスケッティングカフ及びバリアカフを含むデュアルカフを有する使い捨ておむつを記載している。いくつかの実施形態では、前述のようにレッグカフの全体又は一部分をローションで処理することが望ましい場合がある。レッグカフに加えて、おむつはまた、バリアカフの外側寄りに位置する１つ以上の弾性ストランドを有する弾性ガスケッティングカフを含み得る。排泄物封じ込めを改善するために、レッグカフを、疎水性表面コーティング、例えば米国特許出願公開第２００６０１８９９５６Ａ１号、発明の名称「Ｈｙｄｒｏｐｈｏｂｉｃ  Ｓｕｒｆａｃｅ  Ｃｏａｔｅｄ  Ｌｉｇｈｔ−Ｗｅｉｇｈｔ  Ｎｏｎｗｏｖｅｎ  Ｌａｍｉｎａｔｅｓ  ｆｏｒ  Ｕｓｅ  ｉｎ  Ａｂｓｏｒｂｅｎｔ  Ａｒｔｉｃｌｅｓ」（２００６年８月２４日発行）に記載されるもので処理してもよく、当該出願は参照により本明細書に組み込まれる。
【００４９】
おむつ１５２をパンツタイプおむつの形態で提供してもよいし、又は別の方法として、おむつ１５２に再密閉可能な締着装置を設けてもよく、この締着装置は、着用者の所定の位置におむつを固定することに役立つように締着具要素を種々の箇所に含んでいてもよい。例えば、締着具要素は、第１及び第２の耳部上に位置してもよく、また第２の腰部区域に配置された１つ以上の対応する締着要素に取り外し可能に接続するように構成されてもよい。種々のタイプの締着要素を、おむつと共に用いてもよいことを理解すべきである。一例において、締着要素は、フック＆ループ締着具、例えば、３Ｍ又はＶｅｌｃｒｏ  Ｉｎｄｕｓｔｒｉｅｓから入手可能なものを含む。他の例において、締着要素は、接着剤及び／又はテープタブ（tap tabs）を含む一方、他の締着要素は、マクロ締結具、又はフック（例えば、ＭＡＣＲＯ又は「ボタン状」締着具）として構成される。いくつかの例示的な締着要素及びシステムは、米国特許第３，８４８，５９４号、発明の名称「Ｔａｐｅ  Ｆａｓｔｅｎｉｎｇ  Ｓｙｓｔｅｍ  ｆｏｒ  Ｄｉｓｐｏｓａｂｌｅ  Ｄｉａｐｅｒ」（１９７４年１１月１９日にＢｕｅｌｌに付与）；同第Ｂ１４，６６２，８７５号、発明の名称「Ａｂｓｏｒｂｅｎｔ  Ａｒｔｉｃｌｅ」（１９８７年５月５日にＨｉｒｏｔｓｕらに付与）；同第４，８４６，８１５号、発明の名称「Ｄｉｓｐｏｓａｂｌｅ  Ｄｉａｐｅｒ  Ｈａｖｉｎｇ  Ａｎ  Ｉｍｐｒｏｖｅｄ  Ｆａｓｔｅｎｉｎｇ  Ｄｅｖｉｃｅ」（１９８９年７月１１日にＳｃｒｉｐｐｓに付与）；同第４，８９４，０６０号、発明の名称「Ｄｉｓｐｏｓａｂｌｅ  Ｄｉａｐｅｒ  Ｗｉｔｈ  Ｉｍｐｒｏｖｅｄ  Ｈｏｏｋ  Ｆａｓｔｅｎｅｒ  Ｐｏｒｔｉｏｎ」（１９９０年１月１６日にＮｅｓｔｅｇａｒｄに付与）；同第４，９４６，５２７号、発明の名称「Ｐｒｅｓｓｕｒｅ−Ｓｅｎｓｉｔｉｖｅ  Ａｄｈｅｓｉｖｅ  Ｆａｓｔｅｎｅｒ  Ａｎｄ  Ｍｅｔｈｏｄ  ｏｆ  Ｍａｋｉｎｇ  Ｓａｍｅ」（１９９０年８月７日にＢａｔｔｒｅｌｌに付与）；米国特許第５，１５１，０９２号（１９９２年９月２９日にＢｕｅｌｌに付与）；及び同第５，２２１，２７４号（１９９３年６月２２日にＢｕｅｌｌに付与）に開示されており、当該特許は全て参照により本明細書に組み込まれる。締着具及び／又は締着要素の更なる例は、米国特許第６，２５１，０９７号及び同第６，４３２，０９８号、米国特許出願第１１／２４０，９４３号、発明の名称「Ａｎｔｉ−Ｐｏｐ  Ｏｐｅｎ  Ｍａｃｒｏｆａｓｔｅｎｅｒｓ」（２００５年９月３０日に出願）、及び同第１１／２４０，８３８、発明の名称「Ａ  Ｆａｓｔｅｎｉｎｇ  Ｓｙｓｔｅｍ  Ｈａｖｉｎｇ  Ｍｕｌｔｉｐｌｅ  Ｅｎｇａｇｅｍｅｎｔ  Ｏｒｉｅｎｔａｔｉｏｎｓ」（２００５年９月３０日出願）に記載されており、当該文献は全て参照により本明細書に組み込まれる。他の締結装置は、米国特許第５，５９５，５６７号（１９９７年１月２１日にＫｉｎｇらに付与）、及び同第５，６２４，４２７号、（１９９７年４月２９日にＢｅｒｇｍａｎらに付与）により詳細に記載され、双方とも「Ｎｏｎｗｏｖｅｎ  Ｆｅｍａｌｅ  Ｃｏｍｐｏｎｅｎｔ  Ｆｏｒ  Ｒｅｆａｓｔｅｎａｂｌｅ  Ｆａｓｔｅｎｉｎｇ  Ｄｅｖｉｃｅ．」と��される。更に他の締結装置が、米国特許第５，７３５，８４０号及び同第５，９２８，２１２号（双方ともＫｌｉｎｅらに付与され、「Ｄｉｓｐｏｓａｂｌｅ  Ｄｉａｐｅｒ  Ｗｉｔｈ  Ｉｎｔｅｇｒａｌ  Ｂａｃｋｓｈｅｅｔ  Ｌａｎｄｉｎｇ  Ｚｏｎｅ」と題される）に記載され、当該文献は共に参照により本明細書に組み込まれる。また締着装置は、米国特許第４，９６３，１４０号（１９９０年１０月１６日にＲｏｂｅｒｔｓｏｎらに付与）に開示されているような物品を使い捨て構成で保持するための手段をもたらすことが可能であり、当該特許は参照により本明細書に組み込まれる。
【００５０】
本明細書に記載の方法及び装置は、例えば、トップシート、バックシート、吸収性コア、耳部、ウエスト構造部、及びその上に印刷された図柄などの吸収性物品の製造中に、基材及び構成要素の品質、並びに相対的配置をモニタ及び／又は観察するように構成された視覚システムを支持及び／又は位置合わせのために使用されてもよいことを理解されたい。
【００５１】
本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示される寸法は、「約４０ｍｍ」を意味することを意図している。
【００５２】
明示的に除外されるか、あるいは限定されない限り、本明細書に引用するすべての文書は、相互参照する、又は関連するいかなる特許又は特許出願をも含めて、参照によってそれらのすべての内容が本明細書に組み込まれる。いかなる文書の引用も、それが、本明細書にて開示若しくは特許請求される発明に対する先行技術であること、又は、それが単独で、あるいは任意の他の参照文献との組み合わせで、そのようないかなる発明をも教示、暗示、又は開示することを認めるものではない。更に、本書における用語の意味又は定義が、参照によって組み込まれる文書における同じ用語の意味又は定義と対立する限りにおいて、本書においてその用語に与えられた意味又は定義が優先されるものとする。
【００５３】
本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのようなすべての変更及び修正を、添付の「特許請求の範囲」で扱うものとする。
【図１Ａ】
0005260756.tif 000002
【図１Ｂ】
0005260756.tif 000003
【図１Ｃ】
0005260756.tif 000004
【図２Ａ】
0005260756.tif 000005
【図２Ｂ】
0005260756.tif 000006
【図３Ａ】
0005260756.tif 000007
【図３Ｂ】
0005260756.tif 000008
【図４Ａ】
0005260756.tif 000009
【図４Ｂ】
0005260756.tif 000010
【図４Ｃ】
0005260756.tif 000011
【図４Ｄ】
0005260756.tif 000012
【図５】
0005260756.tif 000013
【図６】
0005260756.tif 000014